(57)【要約】【課題】複数枚のシートを束ねて冊子状にまとめ、シートの四つの辺のうち１つをとめることで製本する場合において、冊子のページ数が少ないまたは多い場合にも冊子状に加工可能なように用紙種類を決定する。【解決手段】冊子作成装置は、冊子を構成する用紙数と冊子で利用可能な用紙厚さのリストから冊子の厚さの候補群を生成する手段と、生成された冊子の厚さの候補群が製本可能な冊子の厚さの範囲の条件を満たすかどうかを判定する手段と、前記判定により前記条件を満たすと判定された冊子の厚さの候補が複数ある場合、自動選択モードまたは手動選択モードのいずれかをユーザに選択させる画面を表示し、自動選択モードが選択された場合は所定の選択基準に最も近い候補を冊子の厚さと決定し、手動選択モードが選択された場合はユーザにより選択された候補を冊子の厚さと決定し、いずれかの選択モードで決定された冊子の厚さに対応して用紙の厚さを決定する。【選択図】図６
2012126000.tif 000002
【特許請求の範囲】
【請求項１】
冊子を構成する用紙数と冊子で利用可能な用紙厚さのリストから冊子の厚さの候補群を生成する生成手段と、
前記生成手段により生成された冊子の厚さの候補群が、製本可能な冊子の厚さの範囲の条件を満たすかどうかを判定する判定手段と、
前記判定手段により前記条件を満たすと判定された冊子の厚さの候補が複数ある場合、自動選択モードまたは手動選択モードのいずれかをユーザに選択させる画面を表示し、自動選択モードが選択された場合は、所定の選択基準に最も近い候補を冊子の厚さと決定し、手動選択モードが選択された場合は、ユーザーにより選択された候補を冊子の厚さと決定し、いずれかの選択モードで決定された冊子の厚さに対応して用紙の厚さを決定する決定手段とを有することを特徴とする冊子作成装置。
【請求項２】
前記判定手段は、前記生成された冊子の厚さの候補群に対し、さらに冊子の背表紙に描画される文字列の文字ポイント数が既定値より大きいかどうかを判定し、前記決定手段は、前記自動選択モードにおいて、前記文字ポイント数が前記既定値より大きく、かつ前記所定の選択基準に最も近い候補を冊子の厚さと決定することを特徴とする、請求項１に記載の冊子作成装置。
【請求項３】
前記判定手段は、前記生成された冊子の厚さの候補群に対し、さらに格納ケースと冊子の間の隙間が既定値より小さいかどうかを判定し、前記決定手段は、前記自動選択モードにおいて、前記隙間が前記既定値より小さく、かつ前記所定の選択基準に最も近い候補を冊子の厚さとして決定することを特徴とする、請求項１または２に記載の冊子作成装置。
【請求項４】
冊子の表紙、裏表紙、表紙と裏表紙以外の用紙のそれぞれで厚さを調整することにより、前記格納ケースと冊子の間の隙間を小さくすることを特徴とする、請求項３に記載の冊子作成装置。
【請求項５】
冊子の表紙の山、または表紙の背に張ったテープにより、前記格納ケースと冊子の間の隙間を調整することを特徴とする、請求項３に記載の冊子作成装置。
【請求項６】
前記製本可能な冊子の厚さの範囲の条件は１cm以上かつ５cm未満であり、前記所定の選択基準は3cmであることを特徴とする、請求項１ないし５のいずれか１項に記載の冊子作成装置。
【請求項７】
前記決定手段は、前記手動選択モードにおいて、前記複数の冊子の厚さの候補と各候補に対する価格とを表示することを特徴とする、請求項１ないし６のいずれか１項に記載の冊子作成装置。
【請求項８】
前記冊子で利用可能な用紙厚さのリストに関する情報は最新の状態に保持されることを特徴とする、請求項１ないし７のいずれか１項に記載の冊子作成装置。
【請求項９】
冊子を構成する用紙数と冊子で利用可能な用紙厚さのリストから冊子の厚さの候補群を生成する工程と、
前記生成された冊子の厚さの候補群が、製本可能な冊子の厚さの範囲の条件を満たすかどうかを判定する工程と、
前記判定工程により前記条件を満たすと判定された冊子の厚さの候補が複数ある場合、自動選択モードまたは手動選択モードのいずれかをユーザに選択させる画面を表示し、自動選択モードが選択された場合は、所定の選択基準に最も近い候補を冊子の厚さと決定し、手動選択モードが選択された場合は、ユーザーにより選択された候補を冊子の厚さと決定し、いずれかの選択モードで決定された冊子の厚さに対応して用紙の厚さを決定する工程とを有することを特徴とする冊子作成方法。
【請求項１０】
請求項９に記載の冊子作成方法をコンピュータに実行させるプログラムを記憶した記憶媒体。
【発明の詳細な説明】
【技術分野】
【０００１】
本発明は、複数枚のシートを束ねて製本する冊子作成システムに関する。
【背景技術】
【０００２】
複数枚のシートを束ねて冊子状にまとめ、シートの四つの辺のうち１つをとめることで製本するシステムが存在する。その製本方法として、複数枚のシートからなるシート束の１つの辺に糊付する糊付処理と、糊付け面以外を裁断する裁断処理等の処理を行い、冊子を作成するものがある（例えば、特許文献１参照）。上記製本を行う場合製本するシート束の厚さが薄い場合は、糊付けを行っても糊をつける面積が十分にないため、シートがシート束から外れてしまうことがある。また、シート束が厚い場合においても、シート束が糊容器の間口に入らないことによって糊付けできない。そのため糊付けされてないシート束を搬送、排出できないといったことがあった。この問題を解決するために、特許文献２では冊子で使われる用紙の厚さより冊子全体の厚さを計算し、厚さが薄いまたは厚いために製本ができない場合は警告を出すようにしている。
【先行技術文献】
【特許文献】
【０００３】
【特許文献１】特開平６−２８６９３１号公報
【特許文献２】特登録０４３２４１４１号
【発明の概要】
【発明が解決しようとする課題】
【０００４】
しかし、従来例では冊子状に加工出来ないシート束の厚さの場合に警告を出すのみであり、冊子状に加工可能にするための冊子生成の手段を提供していない。
そこで、本発明では用紙の厚さを調整し、冊子状に加工可能なシート束の厚さの冊子を作る手段を提供することを目的とする。
【課題を解決するための手段】
【０００５】
上記課題を解決するため、本発明は、冊子を構成する用紙数と冊子で利用可能な用紙厚さのリストから冊子の厚さの候補群を生成する手段と、生成された冊子の厚さの候補群が、製本可能な冊子の厚さの範囲の条件を満たすかどうかを判定する手段と、前記判定により前記条件を満たすと判定された冊子の厚さの候補が複数ある場合、自動選択モードまたは手動選択モードのいずれかをユーザに選択させる画面を表示し、自動選択モードが選択された場合は、所定の選択基準に最も近い候補を冊子の厚さと決定し、手動選択モードが選択された場合は、ユーザーにより選択された候補を冊子の厚さと決定し、いずれかの選択モードで決定された冊子の厚さに対応して用紙の厚さを決定する手段とを有する冊子作成装置を提供する。
【発明の効果】
【０００６】
冊子で使用する用紙の厚さを調整することにより、冊子状に加工できる厚さの冊子を作成する手段を提供できる。
【図面の簡単な説明】
【０００７】
【図１】本発明の実施形態に係る冊子作成装置のシステム全体構成を示す図
【図２】本発明の実施形態に係るクライアント装置のハードウェア構成のブロック図
【図３】アルバム編集装置の機能構成のブロック図
【図４】アルバム編集装置での大まかな流れを説明するフロー図
【図５】（A）は商品選択工程のユーザーインターフェースの一例、（B）は画像選択工程のユーザーインターフェースの一例、（C）は編集＆プレビュー工程のユーザーインターフェースの一例、（D）はレイアウト変更のユーザーインターフェースの一例、（E）はページの追加／削除のユーザーインターフェースの一例、（F）は用紙の選択のユーザーインターフェースの一例、（G）は用紙の手動選択のユーザーインターフェースの一例
【図６】冊子用紙決定処理の全体フローチャート図
【図７】冊子厚さ候補群生成処理のフローチャート図
【図８】（A）は用紙種類毎の厚さを表す一例、（B）は冊子構成用紙数に対する用紙種類毎のアルバム冊子の厚さ候補を表す一例、（C）は格納ケースの種類とその格納可能サイズの一例
【図９】冊子厚さ候補判定処理のフローチャート図
【図１０】用紙厚さ決定処理のフローチャート図
【図１１】格納ケースに関する課題を説明した図
【図１２】（A）は中紙での調整と表紙での調整との組み合わせを示した図、（B）は冊子の厚さを表紙の山（耳）の部分で調整する場合の一例、（C）は冊子の厚さをテープで調整する場合の一例
【発明を実施するための形態】
【０００８】
以下、本発明を実施するための最良の形態について図面を用いて説明する。
【０００９】
＜冊子生成装置のシステム構成図＞
図１に、本発明の実施形態に係る冊子作成装置のシステム構成を示す。１０１は画像入力装置であり、イメージ情報である光学像を電気信号に変換し、所定の画像処理をした後にデジタル情報として記録、再生する。例えば、画像入力装置１０１は、デジタルスチルカメラ、デジタルビデオカメラ、またはスキャナである。１０２はユーザーが操作するパーソナルコンピュータからなるクライアント装置であり、アルバム編集装置１０８とＷＥＢブラウザ１０９などのアプリケーションを含む。
【００１０】
１０３はプリントサイトであって、ネットワーク１０６を介してクライアント装置１０２に接続される。ユーザーは、ＷＥＢブラウザ１０９を使用することによって、クライアント装置１０２上のアルバム編集装置１０８を使用して作成したアルバムデータのプリント注文をすることが可能である。１０４は出力装置であって、プリントサイト１０３に送られたアルバムデータを実際に印刷し、アルバム１１１を作成する。１０５はフォトサイトであって、画像ＤＢ（データベース）１１０内に、各種ＷＥＢページ情報、画像、音声などのマルチメディア情報を保存管理する。
【００１１】
１０６はインターネットなどのネットワークであり、クライアント装置１０２、プリントサイト１０３及びフォトサイト１０５が接続され、各種データの送受信が行われる。１０７はローカル通信媒体であって、画像入力装置１０１で取得された画像データをクライアント装置１０２へ転送する。ローカル通信媒体１０７としては、例えば、ＵＳＢ（Universal Serial Bus）やＩＥＥＥ１３９４に代表される有線通信媒体と、Ｂｌｕｅｔｏｏｔｈに代表される無線通信媒体がある。ローカル通信媒体１０７を介して画像入力装置１０１からクライアント装置１０２へ転送された画像データは、クライアント装置１０２内のＨＤＤ（ハードディスクドライブ）に記憶される。
【００１２】
アルバム編集装置１０８はクライアント装置１０２上で動作し、画像データやコメントなどを配置可能な複数ページで構成されるアルバムを編集することができる。ユーザーはクライアント装置１０２上で動作するＷＥＢブラウザ１０９によりネットワーク１０６経由でフォトサイト１０５にアクセスし、アルバム編集装置１０８でのアルバム作成に使用するテンプレートデータや画像データをダウンロードすることができる。フォトサイト１０５上の画像ＤＢ１１０は、ＷＥＢブラウザ１０９によってダウンロードされる電子アルバム用のテンプレートデータや画像データを格納する。出力装置１０４で作成されるアルバム１１１は本システムの最終成果物となる。
【００１３】
アルバム編集装置１０８で編集に使用される画像データは大きく分けて二種類ある。１つ目は、クライアント装置１０２上のＨＤＤなどの記憶媒体に登録された画像データである。ＨＤＤに記憶された画像データの中には、画像入力装置１０１から取得され、ローカル通信媒体を介してクライアント装置１０２に転送されものも含まれる。もう１つは、フォトサイト１０５の画像DB１１０に格納されている画像データである。それらの画像データは、一般にクライアント装置１０２よりネットワーク１０６を介してフォトサイト１０５へアップロードされたものを含む。アルバム編集時には、それらはネットワーク１０６を介してフォトサイト１０５からクライアント装置１０２へ適宜ダウンロードされる。
【００１４】
クライアント装置１０２は、プリントサイト１０３に関して前述した注文方法の他に、編集されたアルバムのプリント注文をフォトサイト１０５経由でプリントサイト１０３に依頼することも可能である。プリントサイト１０３は、出力装置１０４を使ってアルバムのプリント注文に対する印刷処理を実行してアルバム１１１を出力する。なお、図１ではプリントサイト１０３を１つだけ図示したが、２つ以上備えるようにしてもよい。
【００１５】
＜クライアント装置のハードウェア構成＞
図２に、クライアント装置１０２のハードウェア構成を示す。２０１は表示装置（ＣＲＴ）であり、その表示画面には、例えば編集中の文書、図形、画像、その他の編集情報、ウインドウー、アイコン、メッセージ、メニュー、その他のユーザーインターフェース情報が表示される。２０２はＶＲＡＭであり、表示装置２０１に表示するための画像が描画される。このＶＲＡＭ２０２に生成された画像データは、所定の規定に従って表示装置２０１に転送されることにより、表示装置２０１に画像が表示される。
【００１６】
２０３はＣＤまたはＤＶＤに代表される記憶メディア媒体に対する記録再生動作を行うための外部メディアドライブである。アプリケーションを含む各種制御プログラムやデータをクライアント装置１０２と記憶媒体との間で授受する際の制御を担う。２０４はキーボードであり、文字入力や種々の操作を行うための各種キーを有する。２０５はポインティングデバイスである。例えば、表示装置２０１の表示画面上に表示されたアイコン、メニュー、その他のオブジェクトを指示し、操作するために使用される。
【００１７】
２０６はＣＰＵであり、ＲＯＭ２０７、記憶装置（ＨＤＤ）２０９及び外部メディアドライブ２０３に格納されたアプリケーションを含む制御プログラムに基づいて、ＣＰＵ２０６に接続された各デバイスを制御する。２０７はＲＯＭであり、各種の制御プログラムやデータを保持する。２０８はＲＡＭであり、ＣＰＵ２０６のワーク領域、エラー処理時のデータの退避領域、制御プログラムのロード領域等を有する。２０９はＨＤＤなどの記憶装置であり、ＯＳ（オペレーティングシステム）やアプリケーションを含む各種制御プログラムおよび各種データを格納する。
【００１８】
２１０はローカル通信Ｉ／Ｆ（インターフェース）であり、ローカル通信媒体１０７を介して画像入力装置などの外部機器からのデータを授受する際の制御を担う。２１１はネットワークＩ／Ｆ（インターフェース）であり、他の情報処理装置やプリンタ等とネットワーク２１３を介して通信を行うためのものである。２１２はＣＰＵバスであり、アドレスバス、データバス及びコントロールバスを含む。なお、ＣＰＵ２０６に対する制御プログラムは、ＲＯＭ２０７、ＨＤＤ２０９、フロッピー（登録商標）ディスクドライブ、外部メディアドライブ２０３から提供することもできる。さらに、ネットワーク２１３を介して他の情報処理装置等から行うことも可能である。
【００１９】
本実施形態のアルバム編集装置１０８はアプリケーションとして実現され、ＨＤＤ２０９にＯＳが実行可能なデータとして格納されている。ユーザーのポインティングデバイス２０５やキーボード２０４が操作されると、ＯＳがアルバム編集装置１０８の実行可能なデータをＲＡＭ２０６へマップし、ＣＰＵ２０６を用いて処理を実行する。アルバム編集装置１０８はＯＳ提供のAPI関数をコールすることによりＶＲＡＭ２０２へユーザーインターフェースを表示する。そのユーザーインターフェースに対するポインティングデバイス２０５やキーボード２０４をユーザー操作すると、ＯＳがアルバム編集装置１０８へイベントを伝え、アルバム編集装置１０８がイベントを解釈し対応する処理を実行する。
【００２０】
＜アルバム編集装置のブロック図＞
図３に、本実施形態におけるアルバム編集装置１０８の機能構成を示す。３０１は最終成果物であるアルバム１１１作成のための画像データや描画データを管理、制御するためのデータ制御部である。データ制御部３０１は候補画像３０１１、アルバム構成データ３０１２、表紙用コンテンツデータ３０１３、および内部ページコンテンツデータ３０１４を管理する。３０２はアルバム作成のためにＧＵＩ（グラフィカルユーザーインターフェース）を制御してユーザーに対する操作手段や編集内容の表示手段を提供するためのＧＵＩ制御部である。３０３はアルバムに使用されるデザイン情報（レイアウトテンプレートデータなど）を管理、制御するためのデザイン制御部である。デザイン制御部３０３は、レイアウト情報３０３１と、画像割付テーブル３０３２を管理する。３０４は作成されたアルバム情報を元に印刷注文に必要な印刷データを作成して、同印刷データ及び注文処理に必要な情報の通信および管理を行うための通信制御部である。通信制御部３０４は商品構成データ３０４１を管理する。
【００２１】
候補画像３０１１は、アルバム作成時の画像データ選択工程でユーザーによって選択された、アルバムへ格納する候補の画像群である。この選択された画像を、アルバム作成時の編集＆プレビュー工程で、アルバムの各ページに割り当てることにより、アルバムが作成される。アルバム構成データ３０１２は作成中のアルバムの基本構成情報である。例えば、アルバムの商材設定、構成ページ数、表紙用コンテンツデータ３０１３へのリンク、および内部ページコンテンツデータ３０１４へのリンクである。表紙用コンテンツデータ３０１３は、データ制御部３０１により管理されているアルバム表紙、裏表紙、および背表紙に割り振られる画像データと、その描画位置、アルバムのタイトル、および台紙に対する付加描画に関するデータである。内部ページコンテンツデータ３０１４は、アルバム表紙および裏表紙以外の内部を構成するページへ割り振られる画像データとその描画位置、写真へのコメント、および台紙部分への付加描画に関するデータである。作成中のアルバムの情報であるアルバム構成データ３０１２、表紙用コンテンツデータ３０１３および内部ページコンテンツデータ３０１４は、アルバム作成時の編集＆プレビュー工程で生成される。
【００２２】
レイアウト情報３０３１はデザイン制御部３０３により管理されているレイアウトファイルで、各ページ見開きにおける画像や文字列の配置を決定するための情報が記録されている。画像割付けテーブル３０３２はデザイン制御部３０３により管理されている画像データ割付テーブルで、各ページに割り付けられる画像データ数に関わる情報テーブルが記録されている。
【００２３】
商品構成データ３０４１はプリントサイト１０３へ注文可能な商品構成の選択肢に関する情報である。商品構成データ３０４１は、商品構成の選択肢毎に、A4などの冊子サイズ、構成可能なページ数およびアルバムの構成用紙の厚さ情報を保持する。プリントサイト１０３で注文可能な商品構成の選択肢毎にそれらの情報を保持する。通信制御部３０４はプリントサイトと適宜通信することにより商品構成データ３０４１を最新の状態とする。
【００２４】
＜アルバム編集装置の処理概要＞
図４に、本実施形態に係るアルバム編集装置１０８での大まかな流れを説明するフローを示す。図５に、本実施形態に係るアルバム編集装置１０８のＵＩ（ユーザーインターフェースを示す。以下、図５のＵＩでの操作説明を交えながら、図４のフローを用いてアルバム編集装置１０８の動作概略を示す。
【００２５】
ステップＳ４０１は商品選択工程である。アルバム編集装置１０８は通信制御部３０４を用いてプリントサイト１０３へ注文可能な商品構成に関する情報である商品構成データ３０４１を取得する。アルバム編集装置１０８は、商品構成データ３０４１より、図５（A）に示す商品の選択肢を表す商品選択ＵＩ５００を構成し、ＧＵＩ制御部３０２を用いてそのＵＩをＣＲＴ２１０へ表示する。以下特に明記しない限り、商品選択ＵＩ５００へのＵＩ操作に関しては全てＧＵＩ制御部３０２が応答し処理するものとする。
【００２６】
本実施形態において、商品選択ＵＩ５００は、商品の選択肢として５０１、５０２を有している。それぞれの選択肢のラジオボタン５０１１、５０１２の排他的な選択により、アルバム編集装置１０８で作成する商品がどちらになるかが決定される。
【００２７】
５０１の商品は、アルバムを構成するページ数と、ページ内の写真の位置を自由に編集可能な自由レイアウトアルバムである。アルバムを構成するページ数は、表紙と裏表紙を含めて１６０ページから４００ページで構成することが可能である。さらに５０１の商品の表紙として紙厚が薄めのソフトカバーと、厚いハードカバーを排他的に選択可能である。ユーザーによるラジオボタン５０１１１、５０１１２の排他的な選択により、アルバム編集装置１０８で作成する商品の表紙のタイプが決定される。
【００２８】
５０２の商品は、アルバムを構成するページ数が１２ページ、２０ページ、２４ページに制限されている商材であり、ページ内の写真の位置を自動レイアウトで決定する簡単アルバムである。５０２の商品の表紙としては、５０１と同様に、ソフトカバーとハードカバーがラジオボタン５０１２１、５０１２２で排他的に選択可能である。またラジオボタン５０１２３、５０１２４、５０１２５の排他的な選択により、アルバムを構成するページ数が決定される。
【００２９】
上で説明した商品選択ＵＩ５００上での選択後、「進む」ボタン５０３を押下されることにより、アルバム編集装置１０８で作成する商品が決定される。商品が決定されると、ＧＵＩ制御部３０２は選択されたアルバムの商材設定をデータ制御部３０１へ伝える。データ制御部３０１は作成するアルバムの設定としてアルバム構成データ３０１２へアルバムの商材設定を保存する。保存後、アルバム編集装置１０８が次のステップへ処理を進める。本実施形態では、以下、構成ページ数の自由度が高い、自由レイアウトアルバムを選択した場合を説明する。
【００３０】
ステップＳ４０２は画像データ選択工程である。アルバム編集装置１０８はＧＵＩ制御部３０２を用いて、図５（B）に示すアルバムへ配置する画像の候補を選択する画像選択ＵＩ５１０をＣＲＴ２１０へ表示する。以下特に明記しない限り、画像選択ＵＩ５１０へのＵＩ操作に関しては全てＧＵＩ制御部３０２が応答し処理するものとする。
【００３１】
画像選択ＵＩ５１０には、画像の取得先を選択するためにフォルダー選択領域５１１が存在する。更にフォルダー選択領域５１１にはデスクトップ５１１１とフォトサイト５１１２のフォルダーアイコンが表示される。デスクトップ５１１１は、クライアント装置１０２のＨＤＤ２０９のデスクトップフォルダーからの画像取得を表すアイコンである。デスクトップ５１１１がクリックされると選択状態となる。もし選択中のフォルダーに画像ファイルが格納されている場合は、画像のサムネール群がフォルダー内画像領域５１２へ表示される。また下位に位置するフォルダーが存在すれば、ツリー構造で下位フォルダーのアイコンが表示される。外部メディアドライブ２０３に外部メディアがマウントされていればデスクトップフォルダーの下位には外部メディア上のフォルダーアイコンが表示される。またローカル通信Ｉ／Ｆ２１０へ画像入力装置１０１が接続されていれば、その内部フォルダーもデスクトップフォルダーの下位フォルダーとして表示される。フォトサイト５１１２は、フォトサイト１０５の画像DB１１０よりネットワーク１０６経由での画像取得を表すアイコンである。クリック操作に関してはデスクトップ５１１１のアイコンと同様なＵＩ挙動をとる。デスクトップフォルダーと異なるところは、フォルダー内画像領域５１２へ表示される画像は通信制御部３０４によりネットワークＩ／Ｆ２１１経由でフォトサイト１０５より取得され、表示されることである。
【００３２】
フォルダー内画像領域５１２の画像は、ポインティングデバイスのクリック、またはキーボードのショートカットキー操作により、複数個の画像選択を受け付けることが可能ある。フォルダー内画像領域５１２での画像の選択後、追加ボタン５１３が押下されると、選択画面領域５１４へ選択された画像のサムネールがコピーされる。それらのコピーされた画像がアルバムに配置される候補画像となる。選択画面領域５１４においても、ポインティングデバイスのクリック、またはキーボードのショートカットキー操作により、複数個の画像選択を受け付けることが可能である。選択画面領域５１４での画像の選択後、削除ボタン５１５が押下されると、選択画面領域５１４から選択画像を除外することが可能である。選択画面領域５１４へ候補画像がある場合に「進む」ボタン５１６が有効になる。この「進む」ボタン５１６が押下されると、アルバム編集装置１０８は、データ制御部３０１を用いて、選択画面領域５１４の候補画像の画像データを候補画像３０１１へ保存する。なお、「戻る」ボタン５１７が押下された場合はＳ４０１の商品選択工程へ処理を戻す。
【００３３】
ステップＳ４０３は編集＆プレビュー工程である。アルバム編集装置１０８はＧＵＩ制御部３０２を用いて、図５（C）に示すアルバムの編集とそのプレビューを行うＵＩである編集＆プレビューＵＩ５２０をＣＲＴ２１０へ表示する。以下特に明記しない限り、編集＆プレビューＵＩ５２０へのＵＩ操作に関しては全てＧＵＩ制御部３０２が応答し処理するものとする。
【００３４】
編集＆プレビューＵＩ５２０は大きく4つの領域で構成される。1つ目の領域は操作ボタン領域５２１であり、アルバム作成のために必要な各種操作ボタンが配置される。2つ目の領域は見開きページ編集領域５２２であり、アルバムの見開きのページのプレビューが表示される。3つ目の領域は候補画像トレー５２３であり、S４０２画像データ選択工程で選択された画像のサムネールが表示される。これらのサムネールは、データ制御部３０１が管理する候補画像３０１１の画像群より生成され表示される。最後の４つの目の領域はアルバム全体プレビュー５２４であり、アルバム全体を構成する全てのページに関して見開きページの形式のプレビューが表示される。ここで表示するプレビューは、データ制御部３０１が管理するアルバム構成データ３０１２、表紙用コンテンツデータ３０１３、および内部ページコンテンツデータ３０１４の情報を元に生成される。なお、新規作成されたアルバムの場合、商品選択されたアルバム形式で作成可能な最低枚数のページを持つ構成のプレビューが表示される。
【００３５】
アルバム全体プレビュー５２４では、見開きページのプレビューの内の必ず１つが選択状態となる。キーボード２０４やポインティングデバイス２０５によるそれらプレビューに対する選択操作により、選択対象を別の見開きプレビューに変更可能である。選択プレビューが変更になると、見開きページ編集領域５２２での編集対象のプレビューも連動して変更される。図５（C）では、冊子の表紙と裏表紙のプレビュー５２４１が選択されている状態を示している。見開きページ編集領域５２２に表紙と裏表紙のプレビュー５２２１が表示されている。図５（C）は左開きのアルバムの例である。そのため表紙と裏表紙のプレビュー５２２１の右半分は表紙のプレビュー、左半分は裏表紙のプレビューである。それらに挟まれて中央部分に背表紙のプレビューが表示される。
【００３６】
表紙のプレビュー上にはタイトルのテキスト領域５２２２が存在する。また背表紙のプレビュー上には背表紙タイトルのテキスト領域５２２３が存在する。テキスト領域５２２２、５２２３はポインティングデバイス２０５でのクリックにより選択状態になり、キーボード２０４からの文字入力を受け付ける。図５（C）は“旅の思い出”という文字列が入力されている例である。これらの入力された文字情報は、表紙用コンテンツデータ３０１３として、データ制御部３０１によって管理される。更に表紙のプレビュー上には、表紙の画像領域５２２４が表示される。ポインティングデバイス２０５で候補画像トレー５２３の画像を選択後、表紙の画像領域５２２４にドラック・アンド・ドロップされると、その領域に選択された画像を割り当てる。割り当てられた画像はデータ制御部３０１に伝えられ、表紙用コンテンツデータ３０１３として管理される。見開きページ編集領域５２２に、表紙および裏表紙以外のページが表示されている場合も同様に、キーボード２０４とポインティングデバイス２０５を用いて、テキスト領域と画像領域を編集可能である。その場合編集内容は、内部ページコンテンツデータ３０１４に保存される。
【００３７】
操作ボタン領域５２１には、レイアウト変更ボタン５２１１と、ページ追加／削除ボタン５２１２が配置されている。レイアウト変更ボタン５２１１が押下されると、見開きページ編集領域５２２で表示中の編集対象ページに対し、図５（D）のテキスト領域や画像領域の配置位置を変更可能なダイアログ５３０が表示される。ダイアログ５３０には、レイアウト情報３０３１と画像割付テーブル３０３２の情報を元に、デザイン制御部３０３が計算した選択可能なレイアウト構成５３０１が表示される。レイアウト構成５３０１での選択により、デザイン制御部３０３が、見開きページ編集領域５２２で表示されている編集対象ページ上のテキストや写真の配置位置を変更する。編集対象ページのレイアウトの変更結果は、表紙用コンテンツデータ３０１３または内部ページコンテンツデータ３０１４へデータ制御部によって保存される。保存されると、ＧＵＩ制御部３０２が見開きページ編集領域５２２とアルバム全体プレビュー５２４のプレビューを変更する。
【００３８】
見開きページ編集領域５２２で表示されている現在の編集対象ページがアルバムの内部ページである場合、ページ追加／削除ボタン５２１２が有効になる。ページ追加／削除ボタン５２１２が押下されると、図５（E）に示すように、アルバムに対してページの追加／削除が可能なダイアログ５４０が表示される。ラジオボックス群５４０１を指定することにより、現在の編集対象ページの前後へのページ追加、または編集対象ページの削除が可能である。このページ追加／削除処理の結果は、データ制御部３０１によって、内部ページコンテンツデータ３０１４に保管され、またアルバムの総ページ数は、アルバム構成データ３０１２へ保管される。さらにこの変更に応じて、ＧＵＩ制御部３０２が見開きページ編集領域５２２とアルバム全体プレビュー５２４のプレビューを変更する。なお商品としてアルバムの構成可能ページ数の範囲は決まっており、その情報は商品構成データ３０４１の一部として通信制御部３０４が管理する。その構成可能ページ数の範囲情報を元に、アルバムの構成可能ページ数の範囲内でページの追加／削除がなされる。
【００３９】
上記で説明したボタン５２１１、５２１２の他にも、操作ボタン領域５２１には、テキスト領域の文字属性を変更するボタンや、枠や背景などの飾りを変更可能なボタンが存在するが、細部の説明となるので説明は省略する。
【００４０】
「進む」ボタン５２５が押下されると、アルバム編集装置１０８はデータ制御部３０１を使ってS４０３で作成したアルバムデータ（３０１２〜３０１４）の商品としての検証および整形処理を実施する。この検証および整形処理の１つとして、図６に示す冊子用紙決定処理を実施する。その詳細については後述する。検証および整形処理で問題がなければアルバム編集装置１０８はS４０４へ処理を進める。検証および整形処理で問題があれば、ユーザーへ警告メッセージを出して、S４０３でのアルバムの再編集を促す。
【００４１】
ステップS４０４は注文工程である。まずアルバム編集装置１０８は、通信制御部３０４を使ってS４０３で作成したアルバムデータ（３０１２〜３０１４）をプリントサイト１０３へアップロードする。アップロード終了後、プリントサイト１０３は、そのアップロードに関連付けられたIDを返却する。アルバム編集装置１０８は、そのIDに関連したプリントサイトの注文ページの表示をWEBブラウザ１０９へ依頼する。WEBブラウザ上の注文ページを用いてアルバムの決裁方法や送付先の指定が行われる。それらの処理は、WEBベースのアルバム注文サイトと同様なので説明を省略する。
【００４２】
＜実施例１＞
実施例１では、アルバム構成データ３０１２に保管されているアルバムの商材設定として、表紙および裏表紙がその他のページを構成する用紙と同じ用紙種類で作成されるシンプルなアルバムの場合について説明する。アルバムのページ構成数は自由に編集可能であるが、５２２３の背表紙のタイトルはなく、保管のための格納ケースも付属しない商材設定とする。
【００４３】
冊子のシート束の厚さは、そのページ数と、アルバムで使われる用紙の厚さによって決まる。前述のように、冊子が薄いと、糊付けを行っても糊付け面積が十分にないため、シートがシート束から外れてしまい、厚い場合でも、シート束が糊容器の間口に入らないので糊付けできず、糊付けされてないシート束を搬送、排出できないといったことがあった。そのため、本実施例では、製本可能な冊子の厚さの範囲の条件を１cm以上かつ５cm未満として説明する。
【００４４】
図６に、製本するアルバムのシート束を商品として適切な厚さに調整するための冊子用紙決定処理のフローを示す。このフローは、冊子厚さ候補群生成処理S６０１と、冊子厚さ候補群判定処理S６０２と、用紙厚さ決定処理S６０３の３つの処理より構成され、データ制御部３０１で実行される。個々の処理に関して、図７〜図１０を参照して説明する。
【００４５】
図７に、冊子厚さ候補群生成処理S６０１のフローを示す。S７０１でデータ制御部３０１はS４０３で編集作成した冊子を構成するページ数を、アルバム構成データ３０１２から取得する。取得したページ数を２で割ることにより、アルバムの構成用紙数が計算できる。
【００４６】
S７０２でデータ制御部３０１は、通信制御部３０４よりアルバムで利用可能な用紙の厚さのリストを取得する。通信制御部３０４は、商品構成データ３０４１として、アルバムで利用可能な用紙の厚さのリストを商品毎に保持する。アルバムで利用可能な用紙の厚さリストの一例を図８（A）に示す。図に示すように、本実施例ではアルバム編集装置１０８が厚さ１から厚さ５までの5段階の厚さの用紙を利用可能である。
【００４７】
S７０３でデータ制御部３０１は、S７０１で得た構成用紙数を用いて、それぞれの厚さの用紙を用いた場合の冊子の厚さ候補群を計算する。計算された冊子の厚さ候補群の例を図8（B）に示す。この図は１０枚刻みで構成用紙数８０〜２００枚の場合の冊子の厚さ候補群を示したものである。例えば、構成用紙枚数が８０枚の場合は、計算されるアルバム冊子の厚さ候補は、厚さ１〜５に対応して、それぞれ1.360cm, 1.600cm, 1.760cm, 1.920cm, 2.080cmとなる。なお、S７０３で計算される値は構成用紙数に対応して計算されるので、例えば構成用紙数が１９８枚のような表の行間の値になることもある。なお、本実施例は冊子厚さ候補群生成処理S６０１としてデータ制御部３０１で計算したが、前もって計算し商品構成データ３０４１として保持してもよい。
【００４８】
図９に、冊子厚さ候補群判定処理S６０２のフローを示す。S６０２は、冊子厚さ候補群生成処理S６０１で計算した冊子の厚さ候補群に対して、商品として適切な構成が取れるかどうかを判定する処理である。S９０１でデータ制御部３０１は、冊子厚さ候補群生成処理S６０１で計算した冊子の厚さ候補群を取得する。S９０２でデータ制御部３０１は、冊子の厚さ候補群に対して全て処理したかを判断する。全ての候補を処理した場合は終了し、まだ未処理の候補がある場合は、S９０３以下の処理を繰り返す。
【００４９】
S９０３でデータ制御部３０１は、冊子の厚さ候補群より未処理の候補を１つ取得し、現在の厚さとする。S９０４でデータ制御部３０１は、現在の厚さが製本可能な厚さかどうかを判断する。本実施例では製本可能な厚さの範囲の条件を１cm以上かつ５cm未満としている。現在の厚さが１cm以上かつ５cm未満の場合は製本可能であるので、S９０５でデータ制御部３０１は、現在の厚さの冊子の厚さ候補に対して、製本可能の印をつける。現在の厚さが１cm未満または５cm以上の場合、S９０６でデータ制御部３０１は、現在の厚さの冊子の厚さ候補に対して、製本不可の印をつける。図８（Ｂ）に示す厚さ候補群の中では、例えば、冊子の構成用紙枚数が２００枚の場合、用紙種類の厚さ１〜４で構成される冊子の厚さは１cm以上かつ５cm未満であるので、製本可能の印がつけられる。厚さ５で構成される冊子の厚さ5.200cmは５cm以上であるので、製本不可の印がつけられる。
【００５０】
S９０７およびS９０８でデータ制御部３０１は、冊子の厚さを現在の厚さとした場合、背表紙のタイトルの文字ポイント数が、既定のポイント数より大きいかどうかの判断を行う。本実施例では背表紙へのタイトルは存在しない。そのためデータ制御部３０１は、S９０９へ処理を進め、現在の厚さの冊子の厚さ候補に対して、背表紙タイトルの文字ポイントが適正の印をつける。
【００５１】
S９１１でデータ制御部３０１は、現在の厚さと格納ケースの隙間が目標値より小さいかどうかを判定する。本実施例では商品として保存性を高める格納ケースが付属されない。そのためデータ制御部３０１は、S９１２へ処理を進め、現在の厚さの冊子の厚さ候補に対して、ケース格納可能の印をつける。
【００５２】
図１０に用紙厚さ決定処理（S６０３）のフローを示す。S６０３は、S６０２で商品として適切な構成が取れることを示す印がつけられた冊子の厚さ候補群の中から、アルバム冊子の厚さを決定し、アルバム冊子で用いられる用紙の厚さを決定する処理である。
【００５３】
S１００１でデータ制御部３０１は、S６０２で印がつけられた冊子の厚さ候補群を取得する。S１００２でデータ制御部３０１は、冊子の厚さ候補群より、製本可能で、かつ背表紙タイトルの文字ポイントが適正で、かつケース格納可能な印が付いているものが存在するかどうかを判断する。上記が商品として適切な厚さの条件である。商品として適切な厚さの条件を満たす冊子の厚さ候補が存在する場合、データ制御部３０１は更にS１００３で冊子の厚さ候補が複数あるかどうかを判断する。複数個の厚さ候補がある場合、S１００４へ処理を進める。厚さ候補が１つの場合、その厚さ候補を冊子の厚さとして決定し、S１００７へ処理を進める。
【００５４】
S１００４でデータ制御部３０１は、用紙の選択方法に関する決定をＧＵＩ制御部３０２に依頼する。ＧＵＩ制御部３０２は図５（F）に示す用紙の選択ダイアログ５５０をＣＲＴ２０１へ表示しユーザー操作を待つ。用紙の選択ダイアログ５５０には、冊子の厚さとして複数の候補がある旨と、その選択方法を表すラジオボタン５５０１、５５０２が存在する。ラジオボタン５５０１は冊子の厚さの自動選択モードを、ラジオボタン５５０２は冊子の厚さの手動選択モードを意味する。OKボタン５５０３が押下されると、ＧＵＩ制御部３０２は、ラジオボタン５５０１、５５０２のどちらが選択状態であるかをデータ制御部３０１に伝える。自動選択モードのラジオボタン５５０１が選択されている場合、データ制御部３０１は処理をS１００５へ進める。手動選択モードのラジオボタン５５０２が選択されている場合、データ制御部３０１は処理をS１００６へ進める。
【００５５】
S１００５でデータ制御部３０１は、商品として適切な厚さの条件を満たす厚さの候補群より所定の選択基準に最も近いものを冊子の厚さとして決定する。本実施例では、製本可能な厚さの範囲の条件は１cm以上かつ５cm未満であり、その中間値である３cmを所定の選択基準とする。このことにより、構成用紙数が少ない薄いアルバム冊子では厚い紙が選択され冊子全体の剛性が強くなる。例えば、図８（B）に示す構成用紙数８０枚の例では、最も厚い厚さ５の用紙が選択される。また、構成用紙数が多い分厚いアルバム冊子では薄い紙が自動選択され、ページを開くことが容易になる。例えば、図８（B）に示す構成用紙数２００枚の例では、最も薄い厚さ１の用紙が選択される。
【００５６】
S１００６でデータ制御部３０１は、商品として適切な厚さの条件を満たす厚さの候補群と、アルバム構成データ３０１２を通信制御部３０４に渡し、厚さの候補群に対するアルバムの価格計算を依頼する。その依頼の計算結果を受け取ると、データ制御部３０１は、商品として適切な厚さの条件を満たす厚さの候補群と、その価格の計算結果をＧＵＩ制御部３０２に渡し、用紙の選択に関する決定をＧＵＩ制御部３０２に依頼する。ＧＵＩ制御部３０２は図５（G）に示す用紙の手動選択ダイアログ５６０をＣＲＴ２０１へ表示し、ユーザー操作を待つ。用紙の手動選択ダイアログ５６０には、冊子の厚さ候補と、各厚さの候補に対するアルバム価格のリスト５６０１が表示される。リスト５６０１では、ポインティングデバイス２０５とキーボード２０４の操作により、厚さの候補の１つを排他的に選択可能である。OKボタン５６０２が押下されると、ＧＵＩ制御部３０２は、リスト５６０１上のどの候補が選択状態であるかをデータ制御部３０１に伝える。データ制御部３０１は選択状態である厚さの候補を冊子の厚さとして決定する。S１００７でデータ制御部３０１は、S１００３、S１００５またはS１００６で決定された冊子の厚さに基づいてアルバムを作成する際に使う用紙の厚さを決定し、アルバム構成データ３０１２の一部として管理する。
【００５７】
上記処理により、アルバム冊子を構成する用紙厚さを調整し、冊子状に製本可能な冊子の厚さにすることができる。
【００５８】
＜実施例２＞  実施例２では、実施例１に加えて、冊子の背表紙に５２２３の背表紙のタイトルが入力できる商材の場合を説明する。冊子の厚さが薄い場合、５２２３の背表紙のタイトルの文字ポイント数が小さくなり、アルバムの背表紙として文字が判読できない状態になる。アルバム冊子を構成する用紙厚さを調整して、背表紙のタイトルが判読可能な冊子の厚さにすることを目的とする。
【００５９】
図９の冊子厚さ候補判定処理（S６０２）のうち、S９０７とS９０８の処理以外は、実施例１と同じであるため説明を省略する。S９０７でデータ制御部３０１は、現在の厚さと、表紙用コンテンツデータ３０１３より背表紙タイトルのテキスト領域５２２３に指定されたタイトル文字列を取得し、デザイン制御部３０３に受け渡す。デザイン制御部３０３は、それらの情報より背表紙タイトルのテキスト領域５２２３での適切な文字ポイント数を計算する。S９０８でデータ制御部３０１は、計算された文字ポイント数が既定値より大きいかどうかの判定を行う。上記既定値は、背表紙タイトルが判読できない状態にならないように定められた値である。計算された文字ポイント数が既定値より大きい場合、S９０９でデータ制御部３０１は、現在の厚さの冊子の厚さ候補に対して、背表紙タイトルの文字ポイントが適正の印をつける。計算された文字ポイント数が既定値以下の場合、S９１０でデータ制御部３０１は、現在の厚さの冊子の厚さ候補に対して、背表紙タイトルの文字ポイントが不適正の印をつける。
【００６０】
図１０の用紙厚さ決定処理S６０３のうち、S１００５の処理以外は、実施例１と同じであるため説明を省略する。S１００５でデータ制御部３０１は、商品として適切な厚さの条件を満たすもののうち、背表紙タイトルの文字ポイントの大きさが既定値より大きくて、所定の選択基準に最も近いものを冊子の厚さとして決定する。
【００６１】
上記処理により、アルバム冊子を構成する用紙厚さを調整し、背表紙のタイトルが判読可能な冊子の厚さにすることができる。
【００６２】
＜実施例３＞
実施例３では、実施例２に加えて、アルバムの保管性を増すために格納ケースを付属した商材の場合の、アルバム冊子の用紙厚さの決定について説明する。図１１を用いてこの場合の課題を説明する。落下などの衝撃よりアルバムを守るためにプラスチックのような硬い材質で成型された格納ケースを付属したアルバム商品が存在する。格納ケースは硬い材質であるため、紙と比べて成型が難しい。そのため格納可能な冊子の厚さに対して、段階的なサイズのものしか用意されていない。図８（C）に本実施例での格納ケースの例を示す。格納可能サイズとして、２cmから５cmまで１cm刻みで４つのケースが用意されている。構成ページを自由に編集可能なアルバムの場合、図８（B）に示すように冊子の厚さとしては複数の厚さが取れる。冊子の厚さが格納ケースの格納可能サイズの選択肢より多いため、それらを組み合わせると格納ケースと冊子の間に大きな隙間が生じる場合がある。隙間が大きいとアルバムの持ち運びの際に格納ケースの内部でアルバムが動いてしまいアルバムを傷つけることになる。
【００６３】
本実施例はアルバム冊子の厚さを調整して、冊子と格納ケースの隙間を目標値より小さくすることを目的とする。なお、本実施例では、隙間の目標値を3mm未満として説明する。
【００６４】
図９の冊子厚さ候補群判定処理S６０２のうち、S９１１―S９１３の処理以外は実施例２と同じであるため説明を省略する。S９１１でデータ制御部３０１は、現在の厚さと格納ケースの隙間を計算し、隙間の目標値の3mmより小さいかどうかを判断する。隙間が目標値の3mmより小さい場合、データ制御部３０１は処理をS９１２に進め、現在の厚さの冊子の厚さ候補に対して、ケース格納可能の印をつける。隙間が目標値の3mm以上の場合、データ制御部３０１は処理をS９１３に進め、現在の厚さの冊子の厚さ候補に対して、ケース格納不可の印をつける。図8（B）の表において、数値にアンダーラインが付いている場合は、冊子の厚さ候補と格納ケースの隙間が目標値の3mmより小さいことを示す。例えば、構成用紙数１４０枚の例では、厚さ２の用紙の場合に冊子厚さ候補は2.800cmであり、図8（C）の格納可能サイズ3cmの格納ケース２との隙間は目標値の3mmより小さい。構成用紙数によっては、２つ以上の厚さ候補があることがわかる。例えば、構成用紙数２００枚の例では、厚さ２（格納可能サイズ4cmの格納ケース３との隙間は0mm）と厚さ４（格納可能サイズ５cmの格納ケース４との隙間は2mm）の厚さ候補である。これらの厚さ候補にケース格納可能の印がつけられる。
【００６５】
図１０の用紙厚さ決定処理S６０３のうち、S１００５の処理以外は、実施例２と同じであるため説明を省略する。S１００５でデータ制御部３０１は、商品として適切な厚さの条件を満たすもののうち、冊子の厚さ候補と格納ケースの隙間が目標値より小さくて、所定の選択基準に最も近いものを冊子の厚さとして決定する。
【００６６】
上記処理により、アルバム冊子を構成する用紙厚さを調整して、格納ケースと冊子の隙間を目標値より小さくすることが出来る。
【００６７】
＜その他の実施例＞
実施例１−３では、商品設定や隙間の目標値を前もって適切に設定していたため、S１００２で適切な厚さの条件を満たす厚さの候補が１つもないケースは存在しなかった。フォトサイトで用紙種類の選択肢が用意できないなどの理由でS１００２において適切な厚さの条件を満たすものが１つもないケースが出てくる場合もある。その場合、データ制御部３０１はS１００８へ処理を進める。S１００８でデータ制御部３０１は、厚さの候補群の情報を渡し、商品として適切な構成が取れないという通知をＧＵＩ制御装置３０２へ依頼する。ＧＵＩ制御装置３０２は、厚さの候補群の印をもとに、ユーザーへの冊子の編集アドバイスのメッセージやプレビューをＣＲＴ２０１へ表示する。
【００６８】
また、実施例１−３では、表紙および裏表紙が、その他のページを構成する用紙と同じ用紙種類で作成されることを前提として説明した。図12（A）に示すように、表紙および裏表紙が、その他のページを構成する用紙と別の用紙種類で製本可能な場合は、それぞれで調整を行い、それらの組み合わせで冊子の厚さを決定してもよい。
【００６９】
また、実施例３に関しては、冊子を構成する用紙の厚さ以外に、図１２（B）の丸で囲まれた部分である表紙の山（耳）の大きさを加えて、格納ケースとの隙間を調整してもよい。さらに図１２（C）に示すように、表紙の背の部分にかかるように厚みのあるテープを張って格納ケースとの隙間を調整してもよい。
【００７０】
また、図６の冊子用紙決定処理では、冊子厚さ候補群生成処理S６０１で冊子厚さ候補群をまとめて計算したが、特に全ての候補を先に計算する必要はない。冊子厚さの候補を１つずつ計算し、１つの候補に対して以降の処理を実行するようにしてもよい。さらに、用紙厚さ決定処理S６０３で用紙厚さが１つ決定された場合に処理を終了するようにしてもよい。
【符号の説明】
【００７１】
１０２  クライアント装置
１０３  プリントサイト
１０４  出力装置
１０５  フォトサイト
１０８  アルバム編集装置
１０９  WEBブラウザ
１１０  アルバム
３０１  データ制御部
３０２  ＧＵＩ制御部
３０３  デザイン制御部
３０４  通信制御部
【図１】
2012126000.tif 000003
【図２】
2012126000.tif 000004
【図３】
2012126000.tif 000005
【図４】
2012126000.tif 000006
【図５】
2012126000.tif 000007
【図６】
2012126000.tif 000008
【図７】
2012126000.tif 000009
【図８】
2012126000.tif 000010
【図９】
2012126000.tif 000011
【図１０】
2012126000.tif 000012
【図１１】
2012126000.tif 000013
【図１２】
2012126000.tif 000014